(57)【要約】【課題】従来の有機ＥＬ発光素子を用いた表示装置は、歩行中や車両・船舶・航空機等での移動中に外的要因による振動が生じた時にフリッカを発生していた。【解決手段】外的要因による振動の振動周波数と振動レベルを抽出しフリッカの発生しやすい状態を詳細に把握して識別し，その結果を用いてフリッカの発生しやすい振動時には１フレーム期間に複数のサブフレームにより各ラインを１フレーム期間に複数回発光させることにより振動時のフリッカ発生を防ぎ，振動が無くフリッカの発生しない時には１フレーム期間に各ラインを連続して発光させることにより階調表現の優れた画像表示を行い、常にフリッカの発生しない画像を表示する。【選択図】  図１
2005003768.tif 000002
【特許請求の範囲】
【請求項１】
映像信号を入力し、この入力した映像信号による画像を表示する表示装置において、外部要因による振動を検知しない場合には前記映像信号を分割せずに１フレーム分表示し、外部要因による振動を検知した場合には１フレーム分の前記映像信号を複数のサブフレームに分割して表示する表示装置であって、
前記映像信号を記憶する記憶手段と、
前記映像信号の１フレーム期間に１フレーム分の各ライン毎に全階調の画像を表示する第１のタイミング信号を生成する第１の駆動手段と、
前記映像信号の１フレーム期間に前記複数のサブフレームをそれぞれの各ライン毎に１フレーム分の全階調を分割して画像を表示する第２のタイミング信号を生成する第２の駆動手段と、
前記振動を検知して振動信号を出力する振動検出手段と、
前記振動信号により前記第１もしくは前記第２のタイミング信号を選択し、この選択した前記第１もしくは前記第２のタイミング信号を出力する選択手段と、
前記選択した前記第１もしくは前記第２のタイミング信号に応じた画像を表示する表示手段とを有し、
前記振動信号を検知しない場合には前記記憶手段に記憶された前記映像信号を読み出して選択された第１の駆動手段に入力して前記映像信号の１フレーム期間に各ライン毎に全階調の画像を表示し、前記振動信号を検知した場合には前記映像信号の１フレーム期間に複数のサブフレームに分割して全階調の画像を表示することを特徴とする表示装置。
【請求項２】
請求項１に記載した表示装置において、
前記振動検出手段により、前記第２の駆動手段を選択したときの１ライン表示間隔が前記第１の駆動手段を選択した時の１ライン表示間隔よりも短くするように前記第１又は第２のタイミング信号のタイミングを調整することを特徴とする表示装置。
【請求項３】
請求項１に記載した表示装置において、
前記記憶手段はその読み出しタイミングを１フレーム期間１／６０秒以下に設定し、前記第２の駆動手段を選択したときに前記サブフレームをそれぞれのサブフレーム毎の最大期間を１／１２０秒以下にするように調整したことを特徴とする表示装置。
【発明の詳細な説明】
【０００１】
【発明の属する技術分野】
本発明は歩行中或いは車両・船舶・航空機等での移動中に外部要因による振動が表示装置に生じた場合（以下振動時と略す）、フリッカ（ちらつき）が発生しない表示装置に関する。
【０００２】
【従来の技術】
従来から持ち運びの出来る表示装置として、有機ＥＬパネルが盛んに研究されている。有機ＥＬパネルは視野角が広く，コントラストが高いという特徴を生かして携帯機器、カーステレオ等の表示パネルに採用され始めている。
表示装置としての有機ＥＬパネルの構成は複数の発光素子からなり、この発光素子は陽極・電子輸送層・発光層・正孔輸送層・陰極等の各層により構成され、陽極と陰極間に直流電圧を加えて電流を流すと発光する。
【０００３】
有機ＥＬパネルで複数の発光素子を用いて画像やキャラクターを表示する場合の例としては、多数の陽極ラインと多数の陰極ラインを格子状に配置し、この格子状のラインの交点部にある発光素子の電極間に電流を流し発光させる単純マトリクス方式があげられる。
この単純マトリクス方式による有機ＥＬパネルの階調表現方法としては、発光時間の長さを制御するパルス幅変調方式と時分割駆動方式の２つの方式がある。
【０００４】
図１０にパルス幅変調方式による従来の表示装置の概要図を示す。この従来の表示装置はＡ／Ｄ変換器１、メモリ２、パルス幅変調駆動回路３、陽極ドライブ回路７、陰極ドライブ回路８、発光パネル９より構成される。
【０００５】
この従来の表示装置の動作例について説明する。まず入力信号として映像信号ＳｉｎがＡ／Ｄ変換器１に加えられデジタルデータＤ１に変換されて１フレーム分メモリ２に記憶される。メモリ２からは記憶された映像信号のデジタルデータＤ１を１画素ずつ全階調のデータＤ２ｗに変換して順次パルス幅変調駆動回路３に転送する。データＤ２ｗを入力したパルス幅変調駆動回路３からは陽極ドライブ回路７と陰極ドライブ回路８にそれぞれタイミング信号Ｐｗを転送する。そして陽極ドライブ回路７と陰極ドライブ回路８から発光パネル９の陽極と陰極にそれぞれのドライブ信号を送り発光パネル９を映像信号に応じた画像で発光させる。
【０００６】
図１０に示したパルス幅変調方式は、１ラインずつ順に全ての階調を連続して表示する方式で、１ラインの走査期間に映像信号に応じて送られてきた階調データを連続して発光させる方式である。
【０００７】
もう一つの時分割駆動方式は、１枚の画像（フレーム）を時間的に細かく分割して、表示の明るさを制御する方式である。例えば映像信号の１フレーム分を４つのサブフレームに分割して用いる（下記の特許文献１に記載）。
【０００８】
【特許文献１】
【特開２００２−３４１８２４】
【０００９】
【発明が解決しようとする課題】
このような単純マトリクス方式による有機ＥＬパネルの表示装置を、外的要因による振動時に使用する場合があるが、有機ＥＬパネルの発光素子は応答速度が速く，残光が少ないために、表示装置が外部要因により振動するとフリッカを生じ問題となっていた。
【００１０】
前記パルス幅変調方式は１ライン毎に階調を１段階ずつ連続的に表現するため詳細な階調表現を行うことが出来るが、各ラインは１フレーム期間に１ライン分しか発光しないため、わずかの振動でもフリッカを生じやすかった。
【００１１】
また前記時分割駆動方式は、サブフレームを設けて１フレーム期間に各ラインを複数回発光させるため、各ラインの発光間隔が短くフリッカを生じにくいが、階調表現が連続ではないため詳細な階調表現は困難であった。
【００１２】
従って、単純マトリクス方式による有機ＥＬパネルの表示装置においては、詳細な階調表現を行おうとして振動時に前記パルス幅変調方式を用いるとフリッカを生じ、振動時にフリッカを発生させないよう前期時分割方式を用いると振動時ではない時に詳細な階調表現が行われないことが課題であった。
【００１３】
本発明は以上の点に鑑みなされたもので、外的要因による振動の振動周波数と振動レベルを抽出することにより表示装置の振動状態を詳細に判別して、フリッカの発生しやすい振動時とフリッカの発生しにくい振動しない時の条件を設定して、フリッカの発生しやすい振動時にはフリッカの発生しない表示方式を選択し、フリッカの発生しにくい振動しない時は詳細な階調表現の表示が行える表示方式の選択を行うことにより常にフリッカの発生しない映像信号の画像を表示することを目的とする。
【００１４】
【課題を解決するための手段】
上記の目的を達成するため、第１の手段の表示装置は、映像信号を入力し、この入力した映像信号による画像を表示する表示装置において、外部要因による振動を検知しない場合には前記映像信号を分割せずに１フレーム分表示し、外部要因による振動を検知した場合には１フレーム分の前記映像信号を複数のサブフレームに分割して表示する表示装置であって、前記映像信号を記憶する記憶手段（メモリ２）と、前記映像信号の１フレーム期間に１フレーム分の各ライン毎に全階調の画像を表示する第１のタイミング信号を生成する第１の駆動手段（パルス幅変調駆動回路３）と、前記映像信号の１フレーム期間に前記複数のサブフレームそれぞれの各ライン毎に１フレーム分の全階調を分割して画像を表示する第２のタイミング信号を生成する第２の駆動手段（時分割駆動回路４）と、前記振動を検出して振動信号を出力する振動検出手段（振動検出回路５）と、前記振動信号により前記第１もしくは前記第２のタイミング信号を選択し、この選択した前記第１もしくは前記第２のタイミング信号を出力する選択手段（セレクタ６）と、前記選択した前記第１もしくは前記第２のタイミング信号に応じた画像を表示する表示手段（発光パネル９）とを有し、前記振動信号を検知しない場合には前記記憶手段に記憶された前記映像信号を読み出して選択された第１の駆動手段に入力して前記映像信号の１フレーム期間に各ライン毎に全階調の画像を表示し、前記振動信号を検知した場合には前記映像信号の１フレーム期間に複数のサブフレームに分割して全階調の画像を表示する。
【００１５】
上記の目的を達成するため、第２の手段の表示装置は、請求項１に記載した表示装置において、前記振動検出手段により、前記第２の駆動手段を選択したときの１ライン表示間隔が前記第１の駆動手段を選択した時の１ライン表示間隔よりも短くするように前記第１又は第２のタイミング信号のタイミングを調整する。
【００１６】
上記の目的を達成するため、第３の手段の表示装置は、請求項１に記載した表示装置において、前記記憶手段はその読み出しタイミングを１フレーム期間１／６０秒以下に設定し、前記第２の駆動手段を選択したときに前記サブフレームそれぞれのサブフレーム毎の最大期間を１／１２０秒以下にするように調整する。
【００１７】
【発明の実施の形態】
次に、本発明の実施の形態についてもっとも好ましい実施例をもって図面と共に説明する。図１は本発明になる表示装置の一実施例の概略ブロック図を示し、振動検出回路により外的要因による振動状態を詳細に把握してフリッカを発生するか否かの振動量を判定し，その結果として振動時ではないと判定された時はパルス幅変調駆動回路を選択して詳細な階調表現の表示を行い、振動時と判定された時には時分割駆動回路を選択してフリッカのない表示を行う。
【００１８】
図１の表示装置は、Ａ／Ｄ変換器１、１フレーム分の映像信号を記憶するメモリ２、パルス幅変調駆動回路３、時分割駆動回路４、振動を検出する振動検出回路５、比較信号によりパルス幅変調駆動回路３と時分割駆動回路４とからのタイミング信号を選択するセレクタ６、タイミング信号を入力して発光パネル９の陽極のドライブ信号を出力する陽極ドライブ回路７と発光パネル９の陰極のドライブ信号を出力する陰極ドライブ回路８，陽極と陰極のドライブ信号を受けて発光する発光パネル９から構成される。
【００１９】
前記表示装置の動作例について以下に説明する。まず入力信号として映像信号ＳｉｎがＡ／Ｄ変換器１に加えられデジタルデータＤ１に変換されて１フレーム分メモリ２に記憶される。メモリ２では振動のない時のデータＤ２ｗまたは振動時のＤ２ｔを選択信号Ｓｄにより選択して出力する（振動のない時はパルス幅変調駆動回路３用に１画素ずつ全階調のデータを、振動時には時分割駆動回路４用に１画素に対し１ビット単位の階調データを順次転送する）。
【００２０】
振動のない時を選択した場合はパルス幅変調駆動回路３がメモリ２からデータＤ２ｗを受け取り、タイミング信号Ｐｗを出力しセレクタ６に加える。
一方、振動時を選択した場合は時分割駆動回路４がメモリ２からデータＤ２ｔを受け取り、タイミング信号Ｐｔを出力しセレクタ６に加える。
セレクタ６では振動のない時はタイミング信号Ｐｗ，振動時にはタイミング信号Ｐｔを選択し、選択タイミング信号Ｐｓとして陽極ドライバ回路７、陰極ドライバ回路８に加える。
【００２１】
そして、セレクタ６から選択タイミング信号Ｐｓを受け取った陽極ドライバ回路７からは図２に示された陽極ドライバ回路７のスイッチＣＳＷ１，ＣＳＷ２，ＣＳＷ３，．．．のＯＮ，ＯＦＦを制御する信号を発生し、スイッチがＯＮとなった陽極ラインのドライブ電流Ａ１，Ａ２，Ａ３，．．を発光パネル９に供給する。
同様にセレクタ６から選択タイミング信号Ｐｓを受け取った陰極ドライブ回路８からは陰極ラインＲ１，Ｒ２，Ｒ３，．．へ駆動電圧ＶＤＤかＧＮＤを選択するスイッチＲＳＷ１，ＲＳＷ２，ＲＳＷ３，．．の選択を制御する信号を供給し、スイッチがＧＮＤ側に選択された陰極ライン信号Ｒ１，Ｒ２，Ｒ３，．．を発光パネル９に加えることにより映像信号Ｓｉｎに応じた画像を発光パネル９で発光する。
【００２２】
振動検出回路５は外部要因による表示装置９の振動を検知して、振動の無い時は０，振動時には１の振動データＳｄを発生しメモリ２、セレクタ６に送る。
【００２３】
次に、発光パネル９の動作を図２により説明する。図２では発光パネル９の発光素子ＥＬ（１，１），ＥＬ（１，２），．．．の選択状態の例を示す。図２においては陽極ドライブ回路９のスイッチＣＳＷ１がＯＮになっているからドライブ電流Ａ１が選択されラインＣ１に供給される。一方陰極ドライブ回路１０ではスイッチＲＳＷ１がＧＮＤを選択し電流が流れる状態になっており，他のスイッチＲＳＷ２，ＲＳＷ３，．．はＶＤＤを選択しているため電流は流れない状態であるから、Ｃ１ラインから発光素子ＥＬ（１，１）を通りＲ１ライン経由でＧＮＤに向け電流が流れる。従って発光パネル９の発光素子ＥＬ（１，１）にはドライブ電流Ａ１が流れ発光する。同様にＣＳＷ２をＯＮにすればＥＬ（１，２），またＣＳＷ３をＯＮにすればＥＬ（１，３），．．．．．が発光する。
【００２４】
次にパルス幅変調駆動回路３を選択した場合の発光例を図３，図４を用いて説明する。発光パネル例として陽極ドライブ２００ライン×陰極ドライブ５０ラインとする。
図３においてラインＲ１ではまず最初のラインの１階調分データ転送時間ｔｄに１ライン分の１階調目データを陽極ドライブ用スイッチＣＳＷ１，ＣＳＷ２，ＣＳＷ３，．．．．，ＣＳＷ２００の図示しないシフトレジスターに送る。次にシフトレジスターからやはり図示しないラッチ回路に１ライン分の１階調目のデータを転送して記憶し、陽極ドライブ用スイッチＣＳＷ１，ＣＳＷ２，ＣＳＷ３，．．．．，ＣＳＷ２００へこの記憶した１ライン分の１階調目のデータを送る。
【００２５】
１ライン分の１階調目のデータを陽極ドライブ用スイッチＣＳＷ１，ＣＳＷ２，ＣＳＷ３，．．．．，ＣＳＷ２００へ送り終わった瞬間、陰極ドライブ回路８よりＲＳＷ１をＧＮＤ側に設定する。すると陽極ドライブ回路７から陽極ドライブ用スイッチＣＳＷ１，ＣＳＷ２，ＣＳＷ３，．．．．，ＣＳＷ２００と発光素子ＥＬ（１，１），ＥＬ（１，２），ＥＬ（１，３），．．．．．，ＥＬ（１，２００）とを通って電流がラインＲ１経由でＧＮＤに流れ１ライン分の１階調目のデータに応じて発光素子ＥＬ（１，１），ＥＬ（１，２），ＥＬ（１，３），．．．．．，ＥＬ（１，２００）が１階調発光期間Ｐ１分発光する。
【００２６】
陽極ドライブ用スイッチＣＳＷ１，ＣＳＷ２，ＣＳＷ３，．．．．，ＣＳＷ２００へ１ライン分の１階調目データのラッチが終了するとすぐ１ライン分の２階調目のデータを図示しないシフトレジスターに送り，ラインＲ１の２階調目のデータが１ライン分の１階調データ転送時間ｔｄかかってシフトレジスターに送られ１階調発光期間Ｐ１が終了した直後、図示しないラッチ回路にラインＲ１の２階調目のデータを転送すれば１ライン分の２階調目のデータに応じて発光素子ＥＬ（１，１），ＥＬ（１，２），ＥＬ（１，３），．．．．．，ＥＬ（１，２００）がラインＲ１の１階調目の発光に続いてラインＲ１の２階調目として発光する。これを１５階調分行ってラインＲ１の発光を終了する。
【００２７】
以上により１ライン分の１階調発光期間Ｐ１の間隔で各階調データに応じて発光素子は連続して発光する。すなわち１ライン分の１階調データ転送時間ｔｄを１階調発光期間Ｐ１と等しいか少なくすれば各階調連続して発光出来る。また１ライン目と２ライン目の境界部分については１ライン目の最後の階調発光時に２ライン目の最初の階調データを転送すれば発光を隙間なく続けることが出来る。
【００２８】
発光期間の具体例として、例えば図３のＣＳＷ１を３階調データとすると３階調分の発光期間（３×Ｐ１）分ＥＬ（１，１）が連続して発光する。以下同様にＣＳＷ２は２階調分ＥＬ（１，２）、ＣＳＷ３は１５階調分ＥＬ（１，３），．．．，ＣＳＷ２００は４階調分ＥＬ（１，２００）が連続して発光する。また各階調は同一間隔の同一タイミングで発光する。ラインＲ１の１５階調目の発光期間が終了すると、ラインＲ１の１５階調目の発光期間中にラインＲ２の１ライン分の１階調目データを送ってあるので，続けてラインＲ２の発光を開始出来る。
【００２９】
このようにして図４に示すようにＲ１，Ｒ２，Ｒ３，．．．Ｒ５０のラインが順に１ライン分（最初の階調は１階調データ転送時間ｔｄ＋１階調発光期間Ｐ１×１５、２階調目以降は１階調発光期間Ｐ１×１５）ずつ発光し１フレーム期間の発光を形成する。
従って１フレーム期間に各ラインは１フレーム分につき１回発光し、階調表現は発光素子の連続発光により行われるから、滑らかな連続階調表現が得られる。
【００３０】
次に時分割駆動回路４を選択した時の発光例を，図５と図６を用いて説明する。
図５の（Ａ）においてラインＲ１ではまず最初の１階調データ転送時間ｔｄに１ライン分の１階調目のデータを陽極ドライブ用スイッチＣＳＷ１，ＣＳＷ２，ＣＳＷ３，．．．．，ＣＳＷ２００の図示しないシフトレジスターに送る。次にシフトレジスターからやはり図示しないラッチ回路に１ライン分の１階調目のデータを転送して記憶し、陽極ドライブ用スイッチＣＳＷ１，ＣＳＷ２，ＣＳＷ３，．．．．，ＣＳＷ２００へ送る。
【００３１】
そして、図示しないラッチ回路にラインＲ１の１階調目のデータが転送されると同時に陰極ドライブ回路８によりＲ１用のスイッチＲＳＷ１をＧＮＤ側に設定すると、陽極ドライブ回路７から陽極ドライブ用スイッチＣＳＷ１，ＣＳＷ２，ＣＳＷ３，．．．．，ＣＳＷ２００用と各発光素子ＥＬ（１，１），ＥＬ（１，２），ＥＬ（１，３），．．，ＥＬ（１，２００）とラインＲ１経由でＧＮＤに電流が流れ、ラインＲ１の１ライン分の１階調目データに応じて各発光素子ＥＬ（１，１），ＥＬ（１，２），ＥＬ（１，３），．．，ＥＬ（１，２００）が１階調発光期間Ｐ１分発光する。次にラインＲ２の１ライン分の１階調目データはラインＲ１を発光させている間に転送しておく。そしてラインＲ２の１ライン分の１階調目データに応じて発光させる。以下同様にしてまず各ラインの１階調目を５０ライン分発光する。これをサブフレーム１とする。
【００３２】
次に図５の（Ｂ）に示すように、図示しないラッチ回路にラインＲ１の２階調目のデータを１階調目のＲ５０ラインを発光している間に転送したのち、陰極ドライブ回路８によりラインＲ１用のスイッチＲＳＷ１をＧＮＤ側に設定すると、陽極ドライブ回路７から陽極ドライブ用スイッチＣＳＷ１，ＣＳＷ２，ＣＳＷ３，．．．．，ＣＳＷ２００を経由してラインＲ１の１ライン分の２階調目データに応じて各発光素子ＥＬ（１，１），ＥＬ（１，２），ＥＬ（１，３），．．，ＥＬ（１，２００）に電流が流れ１ライン分の２階調目の発光期間Ｐ２分発光する。次にラインＲ２の１ライン分の２階調目データに応じて各発光素子ＥＬ（１，１），ＥＬ（１，２），ＥＬ（１，３），．．，ＥＬ（１，２００）を発光させる。以下順に各ラインの２階調目を発光する。これをサブフレーム２とする。次に３階調目を発光させてこれをサブフレーム３，さらに４階調目を発光させてサブフレーム４とする。
【００３３】
このようにして図６に示すように１フレーム期間を複数のサブフレームで構成し，各ラインを１フレーム期間に複数回発光させる。
各サブフレームの発光期間の合計をを例えばサブフレーム１はＰ１×５０，サブフレーム２はＰ２×５０，サブフレーム３はＰ３×５０，サブフレーム４はＰ４×５０とし、Ｐ１を１階調分とするとＰ２を２階調分、Ｐ３を４階調分、Ｐ４を８階調分に設定する。例えば発光素子ＥＬ（１，１）を３階調分発光させようとするとサブフレーム１とサブフレーム２の時に陽極ドライブ用スイッチＣＳＷ１をＯＮにするよう設定する。また発光素子ＥＬ（１，２）の場合に２階調分発光させようとすると、サブフレーム２の時のみ陽極ドライブ用スイッチＣＳＷ１をＯＮにする。以下発光させようとする階調に応じてサブフレームを選択する。
【００３４】
このように１フレーム期間を複数のサブフレームで構成すれば、前記映像信号を分割して全階調の画像を表示することが出来る。この時、各ラインは１フレーム期間に複数回発光するから、前記映像信号の階調表現は連続に行われず滑らかな連続階調の表現は困難であるが、各ラインの発光間隔を短くすることが出来るので変動時の振動の影響によるフリッカの発生を防ぐことが出来る。
【００３５】
次に発光期間の具体的設定例を示す。振動が発生しない時は表示装置自体の発光でフリッカが発生しない必要があるので、発光期間の設定はフリッカの目立たないテレビジョン垂直同期信号周波数６０Ｈｚに準じて１／６０秒に設定する。
【００３６】
この発光期間の設定において、図７の（Ａ）は振動がない時にパルス幅変調駆動回路３を選択し１フレームを１／６０秒とした場合で、Ｒ１，Ｒ２，Ｒ３，Ｒ４，．．，Ｒ４９，Ｒ５０の各ラインを１ラインずつ全階調を表現する。各ラインの発光期間は１／３０００秒（＝１／６０秒÷５０ライン）となる。
従って各ラインは１／６０秒に一回１／３０００秒期間発光する。ｔｄは最初の１ライン目に含まれるがわずかな期間であるので最初の１階調目の発光期間を縮めても良い。
【００３７】
もし、振動が無ければ１／６０秒に一回の発光で、パルス幅変調駆動回路３を選択したときの表示装置の発光によるフリッカは発生しないが、例えば振動時の表示装置が振動周波数Ｆ（Ｈｚ）で振動すると、発光期間にＦ（Ｈｚ）の変調がかかり、この時に変調された映像信号フレーム周波数は６０Ｈｚが基準であるから、振動時の映像フレーム周波数はＦｘ（＝６０Ｈｚ−Ｆ（Ｈｚ））となる。
【００３８】
図９に振動時の周波数Ｆ（Ｈｚ）と振動時映像信号フレーム周波数Ｆｘに対する振動レベル補正曲線を６０Ｈｚの周波数を基準にして示す（小野測器レポート１９９９．Ｏｃｔ．Ｎｏ．９に掲載の視感度補正曲線より算出）。この振動レベル補正曲線は標準振動レベル（０ｄｂ）に対しフリッカを発生する値を示したもので、振動レベルが振動レベル補正曲線以上の値になるとフリッカを発生する。
【００３９】
従って図９により、パルス幅変調駆動回路３の使用時において、例えば振動レベルが１２ｄｂ以上で振動周波数Ｆが１０Ｈｚの場合フリッカを発生する。
【００４０】
次に図７の（Ｂ）は振動時に時分割駆動回路４を選択した場合で、１フレーム期間を１／６０秒と設定し，サブフレーム１は発光時間の合計を１階調分１／９６０秒としたものである。発光期間はサブフレーム２では２階調分の合計１／４８０秒、サブフレーム３では４階調分の合計１／２４０秒、サブフレーム４では８階調分の合計１／１２０秒に設定する。図左の斜線部は１／９６０秒のブランクとなり、１階調目のデータ転送に用いるが、更に詳細な階調表現に用いても良いのはもちろんである。
【００４１】
よって各ラインは１／６０秒に４回発光する。フリッカに最も影響する最大階調時の発光間隔を例にとるとサブフレーム４の１／１２０秒となる。これを映像信号の垂直同期信号周波数に換算すると１２０Ｈｚとなるから、この場合、例えば表示装置が振動周波数Ｆ（０〜６０Ｈｚ）で振動されても振動時の映像フレーム周波数Ｆｘは６０Ｈｚ以上（振動時映像フレーム周波数Ｆｘ＝垂直同期信号周波数−振動周波数Ｆ）であるからフリッカは発生しない。他のサブフレームは更に発光間隔が短いから同様にフリッカは発生しない。
【００４２】
次に図８を用いて振動検出回路５について説明する。
振動検出回路５は図８に示すように、振動センサ５ａ（振動子，ばね、圧電素子で構成され振動子が振動すると、ばねを通して振動による圧力が圧電素子に伝わり、圧電素子から圧力に応じた電位変化Ｐｉｎが電極Ａ，電極Ｂに発生する）、前置増幅回路５ｂ、フィルター回路５ｃ、増幅回路５ｄ、振動判定回路５ｅより構成される。
【００４３】
この振動検出回路５の動作例を説明する。まず外的要因により振動センサに振動が加わると電位変化Ｐｉｎが生じ前置増幅回路５ｂに送られる。前置増幅回路５ｂでは電位変化Ｐｉｎを電気信号Ｓａに変換しフィルター回路５ｃに送る。フィルター回路５ｃでは電気信号Ｓａの雑音除去と周波数分離を行い、図９の振動周波数Ｆから、例えばフィルターａ（周波数帯０〜１０Ｈｚ未満），フィルターｂ（周波数帯１０Ｈｚ以上〜２０Ｈｚ未満，フィルターｃ（２０Ｈｚ以上）の３つの周波数帯に分けた電気信号Ｓｂ１（０〜１０Ｈｚ未満），Ｓｂ２（１０Ｈｚ以上〜２０Ｈｚ未満），Ｓｂ３（２０Ｈｚ以上）を分割して出力する。
【００４４】
この分割して出力された各電気信号Ｓｂ１，Ｓｂ２，Ｓｂ３を増幅回路５ｄへ入力し図９の振動補正曲線に対応したレベル補正を行い、増幅回路ａでは振動判定信号Ｓｃ１（＝Ｓｂ１／４．．．（−１２ｄｂ）），増幅回路ｂでは振動判定信号Ｓｃ２（＝Ｓｂ２／２．．．（−６ｄｂ）），増幅回路ｃでは振動判定信号Ｓｃ３（＝Ｓｂ３／１．．．（０ｄｂ））を得てこの各振動判定信号Ｓｃ１，Ｓｃ２，Ｓｃ３を振動判定回路５ｅに加え、各振動判定信号Ｓｃ１，Ｓｃ２，Ｓｃ３のすべてが標準振動信号レベル（０ｄｂ）未満であれば振動なしとして振動データＳｄを０，各振動判定信号Ｓｃ１，Ｓｃ２，Ｓｃ３のいずれかが標準振動信号レベル（０ｄｂ）以上であれば振動ありと判定して振動データＳｄを振動判定回路５ｅから出力する。
【００４５】
振動判定回路５ｅの標準振動信号レベル（０ｄｂ）は発光パネル９の画素数・輝度・コントラスト・画像の種類（自然画、文字・イラスト画等）・表示サイズ・室内の照明等により実情に応じて定める。
【００４６】
【発明の効果】
以上説明したように本発明の表示装置によれば外的要因による振動の振動周波数と振動レベルを抽出することにより、フリッカを生じやすい振動状態を詳細に判別して、その判別結果により前記表示装置に外部要因による振動が生じていない場合には映像信号を分割せずに表示し、外部要因による振動が生じた場合には１フレーム分の前記映像信号を複数のサブフレームに分割して表示することにより、常にフリッカの発生しない最適な映像信号の画像を表示することが出来る。
【図面の簡単な説明】
【図１】本発明になる表示装置の全体の基本構成ブロック図を示す図である。
【図２】本発明になる表示装置の発光パネルの詳細図を示す図である。
【図３】本発明に用いるパルス幅変調方式の１ライン毎の階調期間を示す図である。
【図４】本発明に用いるパルス幅変調方式の１フレーム期間の動作を示す図である。
【図５】本発明に用いる時分割駆動方式の１ライン毎の階調期間を示す図である。
【図６】本発明に用いる時分割駆動方式の１フレーム期間の動作を示す図である。
【図７】本発明に用いる２つの駆動方式における発光状態の比較図を示す図である。
【図８】本発明の振動検出回路の概要説明図を示す図である。
【図９】振動周波数に対する振動レベル補正曲線を示す図である。
【図１０】従来の表示装置の概要を示す図である。
【符号の説明】
１    Ａ／Ｄ変換器
２    メモリ              （記憶手段）
３    パルス幅変調駆動回路（第１の駆動手段）
４    時分割駆動回路      （第２の駆動手段）
５    振動検出回路        （振動検出手段）
５ａ  振動センサ
５ｂ  前置増幅回路
５ｃ  フィルター回路
５ｄ  増幅回路
５ｅ  振動判定回路
６    セレクタ            （選択手段）
７    陽極ドライブ回路
８    陰極ドライブ回路
９    発光パネル          （表示手段）
【図１】
2005003768.tif 000003
【図２】
2005003768.tif 000004
【図３】
2005003768.tif 000005
【図４】
2005003768.tif 000006
【図５】
2005003768.tif 000007
【図６】
2005003768.tif 000008
【図７】
2005003768.tif 000009
【図８】
2005003768.tif 000010
【図９】
2005003768.tif 000011
【図１０】
2005003768.tif 000012